(57)【要約】【課題】サンプルにおけるプリオンを実質的に容易に検出することが可能な試験ストリップ及びデバイスを提供する。【解決手段】液体サンプル、液化サンプル、又はホモジナイズされたサンプルにおける分析物の検出のための試験ストリップであって、該試験ストリップ（１０）上に、前記サンプルと接触させられ得るセクション（１１）、及び少なくとも第１の規定された領域（１２）を備え、該試験ストリップ（１０）は吸収材料からなり、該プリオンタンパク質に特異的に結合する検出試薬が、前記第１の規定された領域（１２）中に固定されていることを特徴とする。【選択図】図１
2005504320.tif 000002
【特許請求の範囲】
【請求項１】
液体サンプル、液化サンプル、又はホモジナイズされたサンプルにおける分析物の検出のための試験ストリップであって、該試験ストリップ（１０）上に、前記サンプルと接触させられ得るセクション（１１）、及び少なくとも第１の規定された領域（１２）を備え、該試験ストリップ（１０）は吸収材料からなり、プリオンタンパク質に特異的に結合する検出試薬が、前記第１の規定された領域（１２）中に固定されていることを特徴とする試験ストリップ。
【請求項２】
前記試験ストリップが、ニトロセルロース、又はフッ化ポリビニリデンから構成されていることを特徴とする請求項１に係る試験ストリップ。
【請求項３】
第２の規定された領域（１３）を備え、該領域に前記サンプルに存在する着色された検出試薬−マーカー複合体に結合するコントロール試薬が固定されていることを特徴とする請求項１又は２に係る試験ストリップ。
【請求項４】
前記着色された検出試薬−マーカー複合体における検出試薬に結合する抗体が、前記第２の規定された領域（１３）中に結合されていることを特徴とする請求項３に係る試験ストリップ。
【請求項５】
第３の規定された領域（１４）を備え、該領域にコントロール試薬が固定されており、該コントロール試薬は、実行されたプリオンタンパク質消化の成就をチェックするために用いられることを特徴とする請求項１〜４のいずれか１項に係る試験ストリップ。
【請求項６】
前記プリオンタンパク質のＮ末端を認識する検出試薬が、前記第３の規定された領域（１４）に固定されていることを特徴とする請求項５に係る試験ストリップ。
【請求項７】
前記規定された第１の領域（１２）が、前記第２の規定された領域（１３）と、前記第３の規定された領域（１４）との間に配列されていることを特徴とする請求項１〜６のいずれか１項に係る試験ストリップ。
【請求項８】
規定された領域の１又はいくつかを備える試験ストリップであって、該規定された領域が、該試験ストリップが、サンプルに接触するとき、サンプル液によって直接湿らされる前記試験ストリップのセクションに設けられていることを特徴とする請求項１〜６のいずれか１項に係る試験ストリップ。
【請求項９】
規定された幾何的配列を有する複合システムに結合される、サンプル容器中の複数のサンプルの同時試験のためのデバイスであって、該デバイスがホルダー（２１）を備え、該ホルダーにいくつかの試験ストリップ（１０，１０′）が、前記サンプル容器の該規定された幾何的配列に対応させた配列中に保持され、これによって該試験ストリップの底部セクション（１１）は、各々のサンプル容器の１つに同時に導入され得るように構成されていることを特徴とするデバイス。
【請求項１０】
前記ホルダー（２１）が、横切る方向のストリップの形状で構成され、該ホルダー上に前記試験ストリップが、直交するように配列されていることを特徴とする請求項９に係るデバイス。
【請求項１１】
フレーム（３０）を備え、該フレームはマイクロタイタープレート上に配置されることができ、該フレームの対向する縁部領域に対向するレセプタクル（３１，３１′）を備え、該レセプタクルに前記ストリップ形状のホルダー（２１）が導入されうるように構成されていることを特徴とする請求項10に係るデバイス。
【発明の詳細な説明】
【技術分野】
【０００１】
この発明は、請求項１の包括的部分による試験ストリップ、及びいくつかの試験ストリップが異なるサンプル容器に導入されることを可能にするホルダーに関する。
【背景技術】
【０００２】
試験ストリップは、液体、又はホモジナイズされたサンプルにおける、多数の異なる分析物の検出のために用いられている。一般に、試験ストリップは、少なくとも１つの規定された領域を備えて提供され、この領域に、特定の分析物についての検出試薬が固定されている。
【０００３】
通常、この試験ストリップの下部セクションは、サンプルと接触される。この規定された検出領域は、試験ストリップの下部セクションに存在し、そしてサンプルによって直接湿らされる。別の選択肢によれば、この検出領域は、試験ストリップの更に上部に備えられるが、このストリップが、液状−伝導性材料から作成されること、及びサンプル液体が、毛管現象の効果に基づいて、接触セクションから検出領域へ流れることができることが、必要である。
【０００４】
試験が陽性であるか陰性であるか否かは、例えば、前記検出領域における色調変化によって観察され得る。
【０００５】
通常、試験ストリップは、特に、標準化に特に十分適合しているか、及び／又は他に訓練を受けていない個人が自宅で実施できるなどの場合の、検出適用において用いられる。公知の例としては、例えば、妊娠試験、又は腎機能をモニタリングするための試験ストリップが挙げられる。
【非特許文献１】
Ｋorth, Ｃ et al. Ｎature 1997,  390巻、74頁〜77頁
【非特許文献２】
Ｂarry, Ｒ．Ａ．et al.：Ｊ．Ｉmmunol. 1988, 第140 巻、1188〜1193頁
【発明の開示】
【発明が解決しようとする課題】
【０００６】
対照的に、プリオンタンパク質の検出には、その実施は、現時点では、安全な実験室で作業する高度に専門化された人員に対して限定される大々的な準備が必要である。これは通常、各サンプルについて別々に実施される検出反応自体は、サンプル調製に比べて相対的に少ない労力しか伴わず、このことが、標準化及び簡易化が現時点では重要であると考えられていない理由である。
【０００７】
一方では、例えば、動物の屠殺におけるような、増大している試験の数を考慮すれば、プリオンタンパク質の検出のための反応の標準化によって、労力及び費用の両方の観点から、実質的な削減を十分にもたらすことができるということは無視できない。
【０００８】
したがって、液体サンプル、液化サンプル、又はホモジナイズしたサンプルにおけるプリオンの、現時点で可能であるよりも、実質的に容易な検出を可能にするデバイスを提供することが本発明の課題である。いくつかのサンプルの特に簡易な同時測定を可能にするデバイスを提供することが、本発明の他の課題である。
【課題を解決するための手段】
【０００９】
上記課題は、請求項１において記載された特徴を有する試験ストリップ、及び請求項９に記載された特徴を有するデバイスによって解決される。
【００１０】
他の分析物について公知の試験ストリップと同様に、本発明に係る試験ストリップは、液体サンプル又はホモジナイズされたサンプルと接触させられ得る下部セクションを備え、それによって、本発明に従って、第１の規定された領域が設けられ、この領域にプリオンタンパク質に結合する抗体又は他の検出試薬が固定される。適切な抗体は、Ｋorth, Ｃ et al. Ｎature 1997,  390巻、74頁〜77頁による刊行物から、当該分野における専門家に公知である。
【００１１】
請求項１によれば、この試験ストリップは、吸収材料、詳細には、ニトロセルロース、又はフッ化ポリビニリデン（ＰＶＤＦ）により形成され、それによって、サンプルと接触され得る下部セクションと、第１の規定された領域との間の液体の輸送が可能である。
【００１２】
本発明に係る試験ストリップを用いる通常の試験において、検出試薬、例えば、抗体を、最初にサンプルに添加して、マーカーの存在において、プリオンタンパク質と共に検出可能複合体を形成する。マーカー、例えば、放射性同位体、蛍光物質、ＵＶ又は可視光を吸収する発色団を検出に用いることができる。後者の場合、このようなマーカーは、例えば、ラテックスビーズなどの着色されたポリマービーズ、金粒子、リポソーム、及び色素粒子、又は同様の物質を含んでもよい。原理の問題として、抗体又は他の検出試薬に、能動的に又は受動的に結合するか、又は結合できる、全ての検出可能なマーカーが、この目的に適切である。簡易化のために、着色されたマーカーに結合する抗体のわずかな例を以下に記載する。
【００１３】
引き続いて、試験ストリップは、サンプルと接触されて、このサンプル液体は第１の規定された領域を横切って移動し、そこに固定された検出試薬は、そのサンプルに含有された、プリオンタンパク質、及びそこに付着された着色されたマーカーに結合する。これによって第１の規定された領域における色調の変化が生じ、これは、例えば、肉眼で検出できる。
【００１４】
適切な検出試薬としては、例えば、プリオンタンパク質を特異的に認識する、抗体、アプタマー（aptamers）、又は他の手段が挙げられる。
【００１５】
検出試薬が、正確に進行するか否かをチェックするために、試験ストリップは、１つ、又はいくつかの他の規定された領域であって、ここにコントロール試薬が固定される領域を備えてもよい。
【００１６】
これに関連して、好ましい実施例による試験ストリップは、第２の規定された領域を含み、この領域に、サンプル中の着色された試薬−マーカー複合体に結合できる試薬が固定されている。これによって、試薬−マーカー複合体がサンプルに真に添加されていたか否か、及び／又はその濃度が正確であるか否か、などがチェックできる。この目的のために用いられるコントロール試薬は、特に、抗体又は機能的試薬であって、その複合体がプリオンタンパク質に明確に結合できる場合、着色された試薬−マーカー複合体のみに対して結合する、抗体又は機能的試薬を含んでもよい。詳細には、組み換えプリオンタンパク質は、コントロール試薬として用いることができる。
【００１７】
別の好ましい実施例は、ＰｒＰSc検出試薬における使用のための試験ストリップに関する。プリオンタンパク質は、ＰｒＰc 及びＰｒＰScと表される２つの異なる異性体（isoforms）として存在することが公知である。ＰｒＰc は、正常な哺乳動物タンパク質の異性体であるが、ＰｒＰScは、異常な、病的な異性体である。
【００１８】
現在のところ、ＰｒＰScは、プリオン病に特異的であると推測されている。一般的な試験及び検出手順は、ＰｒＰScが、疾患のマーカーであり、したがって、サンプル中のこの分子の存在について試験するという推定に基づいている。
【００１９】
しかし、この手順には、感染した供給源由来のサンプルは通常、ＰｒＰScを排他的に含まないが、ＰｒＰc もそうであるという問題が伴っている。したがって、この検出手順は、通常存在するＰｒＰc と、可能性として存在するＰｒＰScとの間を識別しなければならない。
【００２０】
現在のところ、この識別は、プロテアーゼを用いてサンプルを消化することによって達せられる。これは、ＰｒＰc 型は完全に消化可能であるが、ＰｒＰSc型のＮ末端セクションのみがプロテアーゼ感受性であり、一方ＰｒＰ２７−３０と表されるセクションは消化されないという事実を利用している。
【００２１】
したがって、特定のＰｒＰScアッセイにおいては、ＰｒＰc 型の対応する領域は、不完全な消化に基づいて結合されるということは無視できないが、ＰｒＰ２７−３０に特異的に結合する抗体は、本発明による試験ストリップの第１の規定された領域に固定される。
【００２２】
これに関して、確認するために、別の好ましい実施例によって、第３の規定された領域を備える、本発明に係る試験ストリップを提供することができる。この領域には、ＰｒＰタンパク質のＮ末端を特異的に認識して結合するコントロール試薬が固定される。消化が完了するまで進行すれば、ＰｒＰのＮ末端領域は、もはや検出できないはずである。対照的に、この領域における色調の変化は、サンプル中の残りの元のままのＰｒＰc の存在（これは、消化が不完全であることを意味する）を示す。適切なコントロール試薬としては、例えば、Ｂarry, Ｒ．Ａ．et al.：Ｊ．Ｉmmunol. 1988, 第140 巻、1188〜1193頁の刊行物から公知の抗体が挙げられる。
【００２３】
この構成によって、消化が、プリオンの検出と完全に同時であるか否かをチェックするための特に簡易な手段が提供される。一方、最新技術のＥＬＩＳＡ手順では、この目的のためには別々の試験が必要であった。
【００２４】
更に、本発明による試験ストリップであって、このストリップを通して流れた液体を吸い上げる「ウエイストパッド（waste pad)」と表記された領域を備える試験ストリップが提供されえる。この領域は、例えば、吸収マット、又はフリース、又は吸い取り紙、又は同様の手段によって提供されてもよい。この試験ストリップの形状及び深さは、大容量においてでもＰｒＰの分離及び検出を可能にする、小型のクロマトグラフィーカラムが形成されるような様式で設計され得る。
【００２５】
上記のような本発明に係るウエイストパッドを備える試験ストリップは、好ましくは、吸収剤から作成されていて、液体がサンプルから、おそらく別々に、検出及びコントロール領域へ流れることを可能にする。
【００２６】
明らかに、吸収剤から作成されてない試験ストリップを使用することも考えられる。この場合、規定された検出領域、及び可能性としては、コントロール領域は、それらがサンプルにより直接湿らされるような方法で、この試験ストリップ上に設けられなければならないか、又は液体が、能動的に（例えば、吸い込み／吸い出し、又は遠心分離の手段によって）動かされなければならない。
【００２７】
上記で言及された試験ストリップ以外に、本発明は、複数のサンプルの同時試験のためのデバイスを包含する。
【００２８】
通常、複数のサンプルは、マイクロタイタープレートの使用によって、又は規定された幾何学的配置を有する複合システム中に数個のサンプル容器を組み合わせる他の様式の手段によって、同時に処理される。
【００２９】
したがって、本発明に係る好ましいデバイスは、ホルダーを備え、このホルダーに、いくつかの試験ストリップが整列されており、そして配向された様式で支持されており、この手法によって、それらの下部セクションは、用いられた複合システムの各サンプル容器の１つに同時に導入されることができる。
【００３０】
したがって、ストリップ形状のホルダーが考えられる。このホルダーでは、試験ストリップは、互いに平行に、そして互いに一定の距離（この距離は、マイクロタイタープレートの行におけるサンプル容器の距離に相当する距離である）で固定される。
【００３１】
本発明の他の実施例は、特定の様式に必要である全ての試験ストリップを同時に取り上げるホルダーを提供する。例えば、マイクロタイタープレートのためのホルダーが考えられるが、ここでは、サンプル容器ウェルの数に相当するほどの多数のストリップが取り上げられる。
【００３２】
特に好ましい実施例では、この種類のデバイスは、例えば、フレームであって、対応する数の試験ストリップを有するストリップ形状のホルダーの１つが、マイクロタイタープレートの各行に導入されることができるフレームを備えてもよい。結果を読み取るために、このホルダーを、このフレームから連続して取り外してもよく、これによって分析が容易になる。
【発明を実施するための最良の形態】
【００３３】
以下において、本発明は、異なる実施例を描写するいくつかの図によって詳細に例示される。更なる図面が、本発明による試験ストリップが用いられた試験の結果を示している。
【実施例】
【００３４】
図１は、プリオンタンパク質の検出のための、試験ストリップ１０を示す。この試験ストリップ１０は、下部セクション１１を備え、この下部セクション１１は、ホモジナイズされたサンプル又は液体サンプルと接触することができる。
【００３５】
更に、いくつかの規定された領域１２，１３，及び１４が、試験ストリップ１０に設けられ、その各々が検出試薬又はコントロール試薬を含む。これらの試薬は、例えば噴霧によって、試験ストリップ１０に付与されてもよい。
【００３６】
試験ストリップ１０は、吸収剤、例えば、ニトロセルロースから構成される。下部セクション１１においてストリップ１０と接触するサンプル液体は、領域１４，１２，１３に沿って試験ストリップを通じてウエイストパッド１５に吸引され、ウエイストパッド１５は、試験ストリップを通じた流れの後に液体を吸い上げる。試験ストリップ１０の上端部に識別番号１６を与えて、例えば、マイクロタイタープレートにおけるサンプルの座標を示す。
【００３７】
上記で言及したとおり、規定された領域１２，１３，及び１４に異なる試薬を固定する。サンプル中に存在し得る任意のプリオンタンパク質を認識する試薬を含むことが、いずれの試験ストリップにも必須である。例示した場合では、これらの試薬は、プリオンタンパク質に対する特定の抗体であり、そしてこの試薬は、規定された領域１２に含まれる。
【００３８】
領域１３は、コントロール試薬を含み、これによって、上記で言及された着色された検出試薬−マーカー複合体の濃度、及び／又は存在が、サンプル中でチェックされることが可能になる。
【００３９】
最後に、領域１４は、試薬を含み、これによって、プリオンタンパク質の消化をチェックすることが可能になる。
【００４０】
図２は、多数のサンプルを同時に分析できる、デバイス２０を示す。デバイス２０は、ホルダー２１を含み、このホルダーにおいて、試験ストリップ１０，１０′などは、下向きの下部セクション１１をもち平行な配列で保持されている。試験ストリップ１０，１０′の間の相互の距離は、マイクロタイタープレートにおけるウェルの通常の距離に対応する手法で選択される。ホルダー２１を用いて、マイクロタイタープレートの行のウェル中のサンプルを同時にチェックすることができる。
【００４１】
個々の試験ストリップ１０，１０′の分離を容易にする穿孔２２は、ホルダー２１上の個々の試験ストリップ１０，１０′の間に設けられてもよく、ここでホルダー２１は、例示した場合では、ストリップの形状をとっている。
【００４２】
マイクロタイタープレート全体に対して、この形態を拡大することが考えられる。
【００４３】
これに関連して、図３は、フレーム３０を示し、その基部は、このフレームがアダプター３２によって従来のマイクロタイタープレート上に配置され得る手法で選択される。その結果、このマイクロタイタープレートは、このフレームによって完全に覆われる。長手方向に伸びるフレーム３０の上部エッジのエリアにおいて、相互に対向するスリットの対３１，３１′が設けられており、それに対して、各々が試験ストリップ１０，１０′を有する１つのホルダー２１が配置されることができる。
【００４４】
スリット３１、３１’の対向する対の数は、マイクロタイタープレート中の行の数に対応しており、その結果、１つのホルダー２１は各々が、マイクロタイタープレートの１つの行毎に導入されることができる。
【００４５】
ホルダー３０は、その完全に組み立てられた状態で、図４に示されており、ここではアダプター３２は示されない。
【００４６】
例示される試験ストリップは、各々が規定された領域１２，１３，１４を備え、それらは異なる検出試薬及びコントロール試薬を含んでいる。本発明は、また、１つではなくいくつかの規定された領域、すなわちサンプル中に存在するプリオンタンパク質を検出できる検出試薬を保有する２つ以上の規定された領域、あるいは消化をチェックする試薬を含む２つ以上の領域などが、各試薬に対して試験ストリップ上に設けられている実施例を考慮していることは自明である。
【００４７】
図５は、種々の濃度で、組み換えウシプリオンタンパク質（ＲｅｃＢｏＰｒＰ）の検出のためにいくつかの試験ストリップを用いた試験の結果を示している。この試験ストリップを、上記で提示した方法に従って、種々の開始濃度のＲｅｃＢｏＰｒＰと共にインキュベートした。サンプル希釈は、１：１〜１：３２の範囲であった。各々の希釈は、試験ストリップの図の下に示される。ブランクコントロールとして、ＲｅｃＢｏＰｒＰを含有しないサンプルと共に、試験ストリップをインキュベートした。
【００４８】
サンプル中の検出試薬−マーカー複合体の存在に応答する試験ストリップの領域１３は、常に着色されているが、ＰｒＰ２７−３０を認識する試験ストリップの領域１２は、ＲｅｃＢｏＰｒＰの濃度の低下に対応する色調強度の低下を示す。この試験ストリップの領域１２の色調強度における、濃度範囲（３２倍）を上回る相違は、肉眼で容易に検出可能である。したがって、この試験ストリップは、ＲｅｃＢｏＰｒＰの半定量的検出のために用いることもできる。
【００４９】
図６は、４匹のトランスジェニックマウス又は野生型マウス由来の尿と共にインキュベーションした後の、いくつかの試験サンプル各々を有する、３つの行６０，６０′，及び６０″を示す。
【００５０】
前と同様に、この試験ストリップは、ＰｒＰ２７−３０を認識する領域１２，及びサンプル中の検出試薬−マーカー複合体の存在に対応する領域１３を備える。
【００５１】
行６０の試験ストリップを、正常な量のプリオンタンパク質を産生する、４匹の野生型マウス（ＷＴ１−ＷＴ４）由来の尿と共にインキュベートしたところ、これは、試験ストリップの領域１２の実質的な着色を生じた。
【００５２】
行６０′の試験ストリップを、強度に増大した量のプリオンタンパク質を産生する、４匹のトランスジェニックマウス（Ｔｇ２０１−Ｔｇ２０４）由来の尿と共にインキュベートした。これによって、試験ストリップの領域１２は、より強力に着色される。
【００５３】
行６０″の試験ストリップを、プリオンタンパク質を産生しない、４匹のトランスジェニックマウス（Ｐｒｎｐ％１〜Ｐｒｎｐ％４）由来の尿と共にインキュベートした。その結果、試験ストリップの領域１２は、着色されない。
【００５４】
図中の各々の試験ストリップ上の略記によって、試験ストリップが対応するマウスの識別が可能になる。
【００５５】
上記の試験ストリップは、複雑な環境（尿）中に存在する場合でさえ、プリオンタンパク質を特異的に認識することが、この図から明白である。
【００５６】
図７は、健常なウシ、対するＢＳＥに罹患したウシに由来する、プロテアーゼ処理した脳ホモジネートを分析するために用いた試験ストリップＡ及びＢを示す。
【００５７】
上記のように、プリオンタンパク質（ＰｒＰc ）の非感染アイソフォームは、プロテアーゼ処理によって完全に消化されるが、感染性アイソフォーム（ＰｒＰSc）は、ＰｒＰ２７−３０と表示されるドメインが残る程度に、部分的にしか消化されない。
【００５８】
すでに述べたように、試験ストリップＡ及びＢは、ＰｒＰ２７−３０を認識する領域１２、及びサンプル中の検出試薬−マーカー複合体の存在に応答する領域１３を備えている。
【００５９】
試験ストリップＡを、健常なウシのプロテアーゼ処理した脳ホモジネートと共にインキュベートした。試験ストリップの領域１２は、未着色のままである。なぜならＰｒＰc は、完全に消化されたからである。
【００６０】
試験ストリップＢを、ＢＳＥに罹患したウシのプロテアーゼ処理した脳ホモジネートと共にインキュベートした。試験ストリップの領域１２は、着色されることが明白である。このことは、ＰｒＰ２７−３０が、プロテアーゼ処理にかかわらず存在することを意味し、このことは、消化の前にはサンプルがＰｒＰScを含んでいたことを示す。
【００６１】
したがって、ここで示されるタイプのストリップ試験は、ウシ脳サンプルの迅速なＢＳＥスクリーニングに十分に適している。
【００６２】
図８は、異なる程度に消化された、異なるホモジネートとともにインキュベートした後の試験ストリップＡ，Ｂ，及びＣを示す。
【００６３】
ＰｒＰ２７−３０を認識する領域１２，及びサンプル中の検出試薬−マーカー複合体の存在に応答する領域１３とは別に、試験ストリップＡ，Ｂ，及びＣは、領域１４を含み、この領域は、プリオンタンパク質のＮ末端領域に結合することができ、したがって、未消化、又は不完全に消化されたプリオンタンパク質を排他的に認識するが、Ｎ末端領域を欠失する消化されたプリオンタンパク質を認識しない。
【００６４】
試験ストリップＡを、ＢＳＥに罹患したウシの、完全に消化した、プロテアーゼ処理した脳ホモジネートと共にインキュベートした。このホモジネートは、ＰｒＰ２７−３０を含むので、領域１２は、着色されるが、領域１４は未着色のままである。なぜなら完全な消化によってＮ末端領域がなくなるからである。
【００６５】
試験ストリップＢを、健常なウシの、完全に消化した、プロテアーゼ処理した脳ホモジネートと共にインキュベートした。このサンプルは、ＰｒＰ２７−３０も、Ｎ末端領域も含まず、これによって、領域１２及び１４は未着色のままとなる。
【００６６】
試験ストリップＣを、健常なウシの、不完全に消化した、プロテアーゼ処理した脳ホモジネートと共にインキュベートした。試験ストリップの領域１２は、着色されるが、この理由は、消化が乏しければ、ホモジネートは、依然としてＰｒＰ２７−３０ドメイン（ＰｒＰc にも存在する）を含むことになるからである。領域１４は、依然としてある程度Ｎ末端領域が存在するために、着色される。この試験ストリップに領域１４がなければ、領域１２の着色が、陽性サンプルにおけるＰｒＰ２７−３０の存在の指標であるか、又は代わりに正常なプリオンタンパク質の不完全な消化に関連しているものであるかを、確実に識別することは、不可能である。
【図面の簡単な説明】
【００６７】
【図１】本発明に係る試験ストリップを示す図である。
【図２】数個の試験ストリップが互いに平行に付着されて行を形成するホルダーの実施例を示す図である。
【図３】共通のマイクロタイタープレート形態におけるフレームであって、図２に示されるホルダーを配置することができるフレームを示す図である。
【図４】図２によるホルダーと完全に適合されたフレームを示す図である。
【図５】試験結果であって、図２に示されるもののようなホルダー中に付着された数個の試験ストリップが、種々の濃度で組み換えウシプリオンタンパク質の検出のために用いられた、試験結果を示す図である。
【図６】トランスジェニックマウスおよび野生型における細胞状プリオンタンパク質の検出のための、数個の試験ストリップを用いた試験結果を示す図である。
【図７】疾患特異的なプロテアーゼ耐性プリオンタンパク質の検出のための、２つの試験ストリップを用いた試験の結果を示す図である。
【図８】ＢＳＥホモジネートの消化条件をチェックするための、３つの試験ストリップを用いた試験結果を示す図である。
【符号の説明】
【００６８】
１０，１０′  試験ストリップ
１１  下部セクション
１２，１３，１４  規定された領域
１５  ウエイストパッド
１６  識別番号
２０  デバイス
２１  ホルダー
２２  穿孔
３０  フレーム
３１，３１′  スリット対
３２  アダプター
【図１】
2005504320.tif 000003
【図２】
2005504320.tif 000004
【図３】
2005504320.tif 000005
【図４】
2005504320.tif 000006
【図５】
2005504320.tif 000007
【図６】
2005504320.tif 000008
【図７】
2005504320.tif 000009
【図８】
2005504320.tif 000010
【国際公開パンフレット】
2005504320.tif 000011
2005504320.tif 000012
2005504320.tif 000013
2005504320.tif 000014
2005504320.tif 000015
2005504320.tif 000016
2005504320.tif 000017
2005504320.tif 000018
2005504320.tif 000019
2005504320.tif 000020
2005504320.tif 000021
2005504320.tif 000022
2005504320.tif 000023
2005504320.tif 000024
2005504320.tif 000025
2005504320.tif 000026
2005504320.tif 000027
2005504320.tif 000028
2005504320.tif 000029
2005504320.tif 000030
2005504320.tif 000031
2005504320.tif 000032
2005504320.tif 000033
2005504320.tif 000034
【国際公開パンフレット（コレクトバージョン）】
2005504320.tif 000035
【国際調査報告】
2005504320.tif 000036
2005504320.tif 000037
2005504320.tif 000038
2005504320.tif 000039
2005504320.tif 000040
2005504320.tif 000041
2005504320.tif 000042
2005504320.tif 000043
2005504320.tif 000044
2005504320.tif 000045
2005504320.tif 000046
2005504320.tif 000047